(57)【要約】 【課題】  照射される外面を触れても感電する恐れが無く、かつ、火傷を防止することができるランプユニットを提供する。【解決手段】  このランプユニット１０は、平面型放電管１１と、この両面に配置された誘電体基板としての一対のガラス平板１２ａ、１２ｂと、前記平面型放電管を挟持して固定する挟持部材１３とから構成されている。平面型放電管１１の両面側に対向して配置されたガラス基板１２ａ、１２ｂは、平面型放電管１１の外面と所定距離ｄを隔てて配置される。なお、ガラス基板１２ａ、１２ｂは透明である。【選択図】          図８
2007149697.tif 000002
【特許請求の範囲】
【請求項１】
両面を平面形状とするとともに、少なくとも一方の面を発光面とする平面型の放電管と、
前記放電管の発光面側に配置された透光性の誘電体基板と、
前記放電管の発光面側と前記誘電体基板とを所定距離を隔てて配置固定する固定部材と、を備えるランプユニット。
【請求項２】
請求項１に記載のランプユニットにおいて、
前記少なくとも一方の面を発光面とする面と反対側の平面型の放電管の面と所定距離を隔てて配置された誘電体基板を備えるランプユニット。
【発明の詳細な説明】
【技術分野】
【０００１】
本発明は、ランプユニットに関し、例えば家庭用照明装置等の照明装置として利用されるランプユニットに関する。
【背景技術】
【０００２】
従来、発光素子として普及しているものに白熱電球がある。この白熱電球は、ガラス球の内部にフィラメントが形成されており、白熱電球の金口をソケットに装着して通電させることによって当該フィラメントに電流が流れ白熱発光する。
【０００３】
一方、従来、白熱電球以外の発光素子として特許文献１に示される平面型放電管が知られている。この平面型放電管は、一般の白熱電球と異なり平面形状であって厚さが非常に薄く、かつ広範囲をムラ無く照らすことが特徴である。
【０００４】
【特許文献１】特開２００３−３１１８２号
【発明の開示】
【発明が解決しようとする課題】
【０００５】
前記平面型放電管においては、特許文献１に記載されているように、平面型放電管の少なくとも一方の面に薄膜状の透明電極が配置されているため、当該平面型放電管が通電状態にある場合には、知らずに外面を触れると感電する。したがって、発光素子単体として取り扱われる場合、白熱電球のように発光素子単体の外面を触れても感電しないようにすることが望まれていた。また、この平面型放電管は、高電圧を印可するために、白熱電球と比較すると、表面が高温になるため、手で触れると火傷をする恐れがあるという問題があった。
【０００６】
そこで、本発明は、上記課題を解決するためになされたものであって、その目的は、発光素子から照射される外面を触れても感電する恐れが無く、かつ、火傷を防止することができるランプユニットを提供することにある。
【課題を解決するための手段】
【０００７】
前記目的を達成するために、本発明のうちで請求項１に記載したランプユニットは、
両面を平面形状とするとともに、少なくとも一方の面を発光面とする平面型の放電管と、
前記放電管の発光面側に配置された透光性の誘電体基板と、
前記放電管の発光面側と前記誘電体基板とを所定距離を隔てて配置固定する固定部材と、を備える。
【０００８】
また、本発明のうちで請求項２に記載したランプユニットは、請求項１に記載のランプユニットにおいて、
前記少なくとも一方の面を発光面とする面と反対側の平面型の放電管の面と所定距離を隔てて配置された誘電体基板を備える。
【発明の効果】
【０００９】
本発明のうち、請求項１のランプユニットによれば、
平面型の放電管における発光面側には、透光性の誘電体基板を配置しているので、放電管の発光面から照射された光は、透光性の誘電体基板を通過して外部へ照射されることが可能になる。また、当該放電管の発光面外部に透明電極が設けられている場合には、直接、放電管の発光面外部に設けられた透明電極に触れることを防止できるため、感電する虞がない。
【００１０】
さらに、放電管の発光面と透光性の誘電体基板との間には、所定距離を置いて空間を設けているために、発光面から誘電体基板への熱伝達を極力減らすことができ、誘電体基板を外部から触れても、火傷をすることはない。
【００１１】
本発明のうち、請求項２のランプユニットによれば、前記請求項１に記載のランプユニットの効果に加えて、平面型の放電管における発光面側と反対の面側外部に透明電極が設けられている場合には、誘電体基板が設けられているために、直接、当該透明電極に触れることを防止できるため、感電する虞がない。
【００１２】
また、当該平面型の放電管の反対側面と所定距離を置いて空間を設けているために、当該反対側面から誘電体基板への熱伝達を極力減らすことができ、誘電体基板を外部から触れても、火傷をすることはない。
【発明を実施するための最良の形態】
【００１３】
（第１の実施形態）
図１〜図１０は、本発明における第１の実施形態の照明装置１１を示した図である。図１は照明装置１１の斜視図、図２は正面図、図３は右側面図、図４は平面図、図５は底面図である。なお、左側面図は右側面図と同一であるので省略し、背面図は正面図と同一であるので省略している。
【００１４】
図６は図５におけるＢ−Ｂ部分拡大図、図７は図４におけるＡ−Ａ断面図、図８は図７におけるＣ−Ｃ拡大断面図、図９は参考底面図、図１０は使用状態を示す参考図である。本実施形態に示されたランプユニットは、例えば図１０に示すように、家屋等の天井等に固定されて照明器具として利用される。
【００１５】
図８において薄墨を施した部分は透明である。図１０において斜線を施した部分は、印刷やエンボス加工等を施しており、内部にある平面型放電管の形状は目視できないが透光性を有する。
【００１６】
このランプユニット１０は、外形表面が略正方形状をしている。図８に示すように、このランプユニット１０は、平面型放電管１１と、この両面に配置された誘電体基板としての一対のガラス平板１２ａ、１２ｂと、前記平面型放電管を挟持して固定する挟持部材１３とから構成されている。平面型放電管１１の発光面Ｓと対向する側のガラス基板は透明である。なお、平面型放電管１１の両外表面には、一対の透明電極が配置されているが、透明であり目視できないため図面からは省略している。
【００１７】
平面型放電管１１の両面側に対向して配置されたガラス基板１２ａ、１２ｂは、平面型放電管１１の外面と所定距離を隔てて配置される。図９に示すように、ガラス基板１２ａ、１２ｂの内面側に設けられた段差部１２ｃに平面型放電管１１が挟み込まれて、前記挟持部材１３によってランプユニットの四角が挟持されることによって固定されるとともに、所定距離ｄ、ｄ′を有する空間１４ａ、１４ｂが設けられる。なお、本実施形態においては、挟持部材１３および段差部１２ｃが、本発明における固定部材に相当する。また、本実施形態では、ｄ＝ｄ′となっているが、これに限定されない。
【００１８】
（第１の実施形態の作用・効果）
上記構成による第１の実施形態のランプユニットは、以下の作用・効果を奏する。
（１）平面型放電管１１における発光面Ｓ側には、透光性の誘電体基板としてのガラス基板１２ａを配置しているので、平面型放電管１１の発光面Ｓから照射された光は、ガラス基板１２ａを通過して外部へ照射されることが可能になる。
【００１９】
（２）平面型放電管１１の透明電極を有する外面に対向するように、透光性の誘電体基板としてのガラス基板１２ａおよび誘電体基板としてのガラス基板１２ｂを配置しているので、人が直接、平面型放電管１１に触れることができないため、感電を防止することができる。
【００２０】
（３）段差部１２ｃによって平面型放電管１１が挟み込まれることによって、所定距離ｄ、ｄ′を有する空間１４ａ、１４ｂが設けられているので、平面型放電管１１の外面から誘電体基板への熱伝達を極力減らすことができ、ガラス基板１４ａ、１４ｂを外部から触れても、火傷をすることはない。特に、本実施形態においては、ランプユニット１０の周縁は周囲と開放されているため、空気の対流によって平面型放電管１１の表面が冷却されやすくなっている。
【００２１】
（第２の実施形態）
図１１〜図２０は、本発明における第２の実施形態のランプユニット２０を示した図である。図１１はランプユニット２０の正面図、図１２は右側面図、図１３は平面図、図１４は底面図である。なお、左側面図は右側面図と同一であるので省略し、背面図は正面図と左右対称に表れるので省略している。また、第１の実施形態と同様の構成部分には、同一の符号を付している。
【００２２】
図１５は図１３におけるＡ−Ａ断面図、図１６、図１７は、図１１におけるＢ−Ｂ、Ｃ−Ｃ部分拡大図である。図１８は図１５におけるＤ−Ｄ部分拡大図である。図１９は参考平面図である。本実施形態に示されたランプユニット２０は、例えば図２０に示すように、穴１５を利用して家屋等の天井１６から吊すことによってインテリア用照明器具として利用される。
【００２３】
図１８において薄墨を施した部分は透明である。図１９において斜線を施した部分は、印刷やエンボス加工等を施しており、内部にある平面型放電管の形状は目視できないが透光性を有する。なお、平面側を図１９と同様の加工を施すようにしてもよい。
【００２４】
このランプユニット２０は、外形表面が略長方形状をしている。図１８に示すように、このランプユニット２０は、平面型放電管１１と、この両面に配置された誘電体基板としての一対のガラス平板１２ａ、１２ｂと、前記平面型放電管を挟持して固定する挟持部材１３とから構成されている。本実施形態では、平面型放電管１１の両面を発光面Ｓとしているおり、この発光面Ｓと対向する両側のガラス基板は透明である。なお、平面型放電管１１の両外表面には、一対の透明電極が配置されているが、透明であり目視できないため図面からは省略している。
【００２５】
平面型放電管１１の両面側に対向して配置されたガラス基板１２ａ、１２ｂは、平面型放電管１１の外面と所定距離を隔てて配置される。図１８に示すように、ガラス基板１２ａ、１２ｂの内面側に設けられた段差部１２ｃに平面型放電管１１が挟み込まれて、前記挟持部材１３によってランプユニットの四角が挟持されることによって固定されるとともに、所定距離ｄ、ｄ′を有する空間１４ａ、１４ｂが設けられる。なお、本実施形態においては、挟持部材１３および段差部１２ｃが、本発明における固定部材に相当する。また、本実施形態では、ｄ＝ｄ′となっているが、これに限定されない。なお、本実施形態のランプユニットによれば、第１の実施形態と同様の効果を奏する。
【００２６】
（第３の実施形態）
図２１〜図３０は、本発明における第３の実施形態のランプユニット３０を示した図である。本実施形態のランプユニット３０は、外表面の形状が略長方形状である点が第１の実施形態ランプユニットと異なるが、他の構成はほぼ同様な構成をしているため、説明は省略し、第１の実施形態と同様の構成部分には、同一の符号を付している。本実施形態のランプユニットによれば、第１の実施形態と同様の効果を奏する。なお、図２８において薄墨を施した部分は透明であり、図２９において斜線を施した部分は透光性を有する。また、左側面図は、図２３に示した右側面図と同一であるので省略し、背面図は、図２２に示した正面図と同一であるので省略している。
【００２７】
（第４の実施形態）
図３１〜図４０は、本発明における第４の実施形態のランプユニット４０を示した図である。本実施形態のランプユニット４０は、外表面の形状が略円形状である点が第１の実施形態ランプユニットと異なるが、他の構成はほぼ同様な構成をしているため、説明は省略し、第１の実施形態と同様の構成部分には、同一の符号を付している。本実施形態のランプユニットによれば、第１の実施形態と同様の効果を奏する。なお、図３８において薄墨を施した部分は透明であり、図４０において斜線を施した部分は透光性を有する。また、左側面図は、図３３に示した右側面図と同一であるので省略し、背面図は、図３２に示した正面図と同一であるので省略している。
【００２８】
（第５の実施形態）
図４１〜図５１は、本発明における第５の実施形態のランプユニット５０を示した図である。本実施形態のランプユニット５０は、外表面の形状が略正方形状である点が第２の実施形態ランプユニットと異なるが、他の構成はほぼ同様な構成をしており、さらに使用状態においてもほぼ同様である（図５１参照）ため、説明は省略し、第２の実施形態と同様の構成部分には、同一の符号を付している。本実施形態のランプユニットによれば、第１の実施形態と同様の効果を奏する。なお、図４８において薄墨を施した部分は透明であり、図５０において斜線を施した部分は透光性を有する。また、左側面図は、図４４に示した右側面図と左右対称に表れるので省略している。
【００２９】
（第６の実施形態）
図５２〜図６０図は、本発明における第６の実施形態のランプユニット６０を示した図である。本実施形態のランプユニット６０は、外表面の形状が略正方形状で、かつ、発光面からの光の照射方向へ凸面となっている点が第１の実施形態ランプユニットと異なるが、他の構成はほぼ同様な構成をしており、さらに使用状態においてもほぼ同様である（図６０参照）ため、説明は省略し、第１の実施形態と同様の構成部分には、同一の符号を付している。本実施形態のランプユニットによれば、第１の実施形態と同様の効果を奏する。なお、図５８において薄墨を施した部分は透明であり、図５９において斜線を施した部分は透光性を有する。また、左側面図は、図５４に示した右側面図と同一であるので省略し、背面図は、図５３に示した正面図と同一であるので省略している。
【００３０】
（第７の実施形態）
図６１〜図６９は、本発明における第７の実施形態のランプユニット７０を示した図である。本実施形態のランプユニット７０は、外表面の形状が略正方形状で、かつ、平面型放電管１１の発光面Ｓは透光性を有する誘電体基板としてのガラス基板１２ａと対向する面側に形成される。なお、本実施形態では、平面型放電管１１の発光面側とされない側には、誘電体基板としてのガラス基板を設けていないことが、これまでの実施形態と異なる点である。図６８に示すように、本実施形態のランプユニットは、天井吊り下げ型照明装置として応用される。他の構成は第１の実施形態とほぼ同様の構成であるため、説明は省略し、第１の実施形態と同様の構成部分には、同一の符号を付している。本実施形態のランプユニットによれば、第１の実施形態と同様の効果を奏する。なお、図６７において薄墨を施した部分は透明であり、図６９において斜線を施した部分は透光性を有する。また、左側面図は、図６３に示した右側面図と同一であるので省略し、背面図は、図６２に示した正面図と同一であるので省略している。
【００３１】
（第８の実施形態）
図７０〜図８０は、本発明における第８の実施形態のランプユニット８０を示した図である。本実施形態のランプユニット８０は、外表面の形状が略円形状で、かつ、平面型放電管１１の発光面Ｓは透光性を有する誘電体基板としてのガラス基板１２ａと対向する面側に形成される。図８０に示すように、本実施形態のランプユニットは、第７の実施形態と同様、天井吊り下げ型照明装置として応用される。他の構成は第１の実施形態とほぼ同様の構成であるため、説明は省略し、第１の実施形態と同様の構成部分には、同一の符号を付している。本実施形態のランプユニットによれば、第１の実施形態と同様の効果を奏する。なお、図７７において薄墨を施した部分は透明であり、図７８，７９において斜線を施した部分は透光性を有し、図７９においてハッチングを施した部分は透明である。また、左側面図は、図７３に示した右側面図と左右対称に表れるので省略している。
【００３２】
（第９の実施形態）
図８１〜図９０は、本発明における第９の実施形態のランプユニット９０を示した図である。本実施形態のランプユニット９０は、外表面の形状が略正方形状で、かつ、平面型放電管１１の発光面Ｓは透光性を有する誘電体基板としてのガラス基板１２ａと対向する面側に形成される。図９１に示すように、本実施形態のランプユニットは、壁付け型照明装置として応用され、図８８〜図９０に示すように、ランプユニット９０本体を動かすことによって照射される光の向きを変えることが可能である。１８は壁、１９はランプユニットフレームである。他の構成は第１の実施形態とほぼ同様の構成であるため、説明は省略し、第１の実施形態と同様の構成部分には、同一の符号を付している。本実施形態のランプユニットによれば、第１の実施形態と同様の効果を奏する。なお、図８７において斜線を施した部分は透光性を有する。また、左側面図は、図７３に示した右側面図と左右対称に表れるので省略している。
【００３３】
なお、上記９つの実施形態において、平面型放電管１１に付属する電源コードや吸排気管等の部品は図面から省略して示している。
【００３４】
（応用例等）
ところで、本発明は上記の実施形態に限定するものではなく、本発明の要旨を変更しない範囲で様々な実施が可能である。上記実施形態においては、ランプユニットの表面形状が、略正方形、略長方形、略円形等としているが、これらに限定するものではなく、その他の多角形や楕円型であっても良い。また、各図における透光性を示した斜線部分を透明としても良い。
【００３５】
また、上記実施形態において説明した平面型放電管１１は、両外面に透明電極が形成されているとしているが、これに限定するものではなく、透明電極の一方が平面型放電管１１の内部（放電空間内）に形成されているものを採用しても良いし、発光面でない側の透明電極を金属薄膜状電極としても良い。また、他の電極配置を利用した平面型放電管であってもよく、電極の配置には限定されない。
【００３６】
また、平面型放電管の発光面に対向して配置されるガラス基板は、第６の実施形態のように、平面形状でなくてもよく、例えば球面や円筒面の一部でもよいし、凸面や凹面を含む面として形成しても良い。
【００３７】
上記第１、６、７，８及び９の実施形態においては、平面型放電管１１の一方の面のみを発光面Ｓとしているが、これに限定することなく、両面発光としてもよい。なお、この場合、第１の実施形態においては、第２の発光面側に対向して配置される誘電体基板を透光性または透明とすることができる。
【図面の簡単な説明】
【００３８】
【図１】第１の実施形態におけるランプユニットの斜視図である。
【図２】第１の実施形態におけるランプユニットの正面図又は背面図である。
【図３】第１の実施形態におけるランプユニットの右側面図又は左側面図である。
【図４】第１の実施形態におけるランプユニットの平面図である。
【図５】第１の実施形態におけるランプユニットの底面図である。
【図６】図２におけるＢ−Ｂ部分拡大図である。
【図７】図４におけるＡ−Ａ断面図である。
【図８】図７におけるＣ−Ｃ部分拡大図である。
【図９】第１の実施形態におけるランプユニットの参考平面図である。
【図１０】第１の実施形態におけるランプユニットの使用状態を示す参考図である。
【００３９】
【図１１】第２の実施形態におけるランプユニットの正面図である。
【図１２】第２の実施形態におけるランプユニットの右側面図又は左側面図である。
【図１３】第２の実施形態におけるランプユニットの平面図である。
【図１４】第２の実施形態におけるランプユニットの底面図である。
【図１５】図１３におけるＡ−Ａ断面図である。
【図１６】図１１におけるＢ−Ｂ部分拡大図である。
【図１７】図１１におけるＣ−Ｃ部分拡大図である。
【図１８】図１５におけるＤ−Ｄ部分拡大図である。
【図１９】第２の実施形態におけるランプユニットの参考平面図である。
【図２０】第２の実施形態におけるランプユニットの使用状態を示す参考図である。
【００４０】
【図２１】第３の実施形態におけるランプユニットの斜視図である。
【図２２】第３の実施形態におけるランプユニットの正面図又は背面図である。
【図２３】第３の実施形態におけるランプユニットの右側面図又は左側面図である。
【図２４】第３の実施形態におけるランプユニットの平面図又は底面図である。
【図２５】図２２におけるＢ−Ｂ部分拡大図である。
【図２６】図２３におけるＣ−Ｃ部分拡大図である。
【図２７】図２４におけるＡ−Ａ断面図である。
【図２８】図２８におけるＤ−Ｄ部分拡大図である。
【図２９】第３の実施形態におけるランプユニットの参考平面図である。
【図３０】第３の実施形態におけるランプユニットの使用状態を示す参考図である。
【００４１】
【図３１】第４の実施形態におけるランプユニットの斜視図である。
【図３２】第４の実施形態におけるランプユニットの正面図又は背面図である。
【図３３】第４の実施形態におけるランプユニットの右側面図又は左側面図である。
【図３４】第４の実施形態におけるランプユニットの平面図又は底面図である。
【図３５】図３４におけるＡ−Ａ断面図である。
【図３６】図３２におけるＢ−Ｂ部分拡大図である。
【図３７】図３３におけるＣ−Ｃ部分拡大図である。
【図３８】図３５におけるＤ−Ｄ部分拡大図である。
【図３９】第４の実施形態におけるランプユニットの使用状態を示す参考図である。
【図４０】第４の実施形態におけるランプユニットの参考平面図である。
【００４２】
【図４１】第５の実施形態におけるランプユニットの斜視図である。
【図４２】第５の実施形態におけるランプユニットの正面図である。
【図４３】第５の実施形態におけるランプユニットの背面図である。
【図４４】第５の実施形態におけるランプユニットの右側面図である。
【図４５】第５の実施形態におけるランプユニットの平面図又は底面図である。
【図４６】図４５におけるＡ−Ａ断面図である。
【図４７】図４２におけるＢ−Ｂ部分拡大図である。
【図４８】図４４におけるＣ−Ｃ部分拡大図である。
【図４９】図４６におけるＤ−Ｄ部分拡大図である。
【図５０】第５の実施形態におけるランプユニットの参考平面図である。
【図５１】第５の実施形態におけるランプユニットの使用状態を示す参考図である。
【００４３】
【図５２】第６の実施形態におけるランプユニットの斜視図である。
【図５３】第６の実施形態におけるランプユニットの正面図又は背面図である。
【図５４】第６の実施形態におけるランプユニットの右側面図又は左側面図である。
【図５５】第６の実施形態におけるランプユニットの平面図である。
【図５６】第６の実施形態におけるランプユニットの底面図である。
【図５７】図５５におけるＡ−Ａ断面図である。
【図５８】図５７におけるＢ−Ｂ部分拡大図である。
【図５９】第６の実施形態におけるランプユニットの参考底面図である。
【図６０】第６の実施形態におけるランプユニットの使用状態を示す参考図である。
【００４４】
【図６１】第７の実施形態におけるランプユニットの斜視図である。
【図６２】第７の実施形態におけるランプユニットの正面図又は背面図である。
【図６３】第７の実施形態におけるランプユニットの右側面図又は左側面図である。
【図６４】第７の実施形態におけるランプユニットの平面図である。
【図６５】第７の実施形態におけるランプユニットの底面図である。
【図６６】図６４におけるＡ−Ａ断面図である。
【図６７】図６６におけるＢ−Ｂ部分拡大図である。
【図６８】第７の実施形態におけるランプユニットの使用状態を示す参考図である。
【図６９】第７の実施形態におけるランプユニットの参考底面図である。
【００４５】
【図７０】第８の実施形態におけるランプユニットの斜視図である。
【図７１】第８の実施形態におけるランプユニットの正面図である。
【図７２】第８の実施形態におけるランプユニットの背面図である。
【図７３】第８の実施形態におけるランプユニットの右側面図である。
【図７４】第８の実施形態におけるランプユニットの平面図である。
【図７５】第８の実施形態におけるランプユニットの底面図である。
【図７６】図７４におけるＡ−Ａ断面図である。
【図７７】図７６におけるＢ−Ｂ部分拡大図である。
【図７８】第８の実施形態におけるランプユニットの参考底面図である。
【図７９】第８の実施形態におけるランプユニットの参考底面図である。
【図８０】第８の実施形態におけるランプユニットの使用状態を示す参考図である。
【００４６】
【図８１】第９の実施形態におけるランプユニットの斜視図である。
【図８２】第９の実施形態におけるランプユニットの正面図である。
【図８３】第９の実施形態におけるランプユニットの右側面図である。
【図８４】第９の実施形態におけるランプユニットの平面図である。
【図８５】第９の実施形態におけるランプユニットの底面図である。
【図８６】図８２におけるＡ−Ａ断面図である。
【図８７】第９の実施形態におけるランプユニットの参考正面図である。
【図８８】第９の実施形態における動きを表した斜視図である。
【図８９】第９の実施形態における動きを表した斜視図である。
【図９０】第９の実施形態における動きを表した斜視図である。
【図９１】第９の実施形態におけるランプユニットの使用状態を示す参考図である。
【図９２】第９の実施形態におけるランプユニットの背面図である。
【符号の説明】
【００４７】
１０，２０，３０，４０，５０，６０，７０，８０，９０・・・ランプユニット、１１・・・平面型放電管，１２ａ、１２ｂ・・・ガラス基板，１３・・・挟持部材、１４ａ、１４ｂ・・・空間、１５・・・穴、１６・・・天井、１７・・・吊り部材、１８・・・壁、１９・・・ランプユニットフレーム。
【図１】
2007149697.tif 000003
【図２】
2007149697.tif 000004
【図３】
2007149697.tif 000005
【図４】
2007149697.tif 000006
【図５】
2007149697.tif 000007
【図６】
2007149697.tif 000008
【図７】
2007149697.tif 000009
【図８】
2007149697.tif 000010
【図９】
2007149697.tif 000011
【図１０】
2007149697.tif 000012
【図１１】
2007149697.tif 000013
【図１２】
2007149697.tif 000014
【図１３】
2007149697.tif 000015
【図１４】
2007149697.tif 000016
【図１５】
2007149697.tif 000017
【図１６】
2007149697.tif 000018
【図１７】
2007149697.tif 000019
【図１８】
2007149697.tif 000020
【図１９】
2007149697.tif 000021
【図２０】
2007149697.tif 000022
【図２１】
2007149697.tif 000023
【図２２】
2007149697.tif 000024
【図２３】
2007149697.tif 000025
【図２４】
2007149697.tif 000026
【図２５】
2007149697.tif 000027
【図２６】
2007149697.tif 000028
【図２７】
2007149697.tif 000029
【図２８】
2007149697.tif 000030
【図２９】
2007149697.tif 000031
【図３０】
2007149697.tif 000032
【図３１】
2007149697.tif 000033
【図３２】
2007149697.tif 000034
【図３３】
2007149697.tif 000035
【図３４】
2007149697.tif 000036
【図３５】
2007149697.tif 000037
【図３６】
2007149697.tif 000038
【図３７】
2007149697.tif 000039
【図３８】
2007149697.tif 000040
【図３９】
2007149697.tif 000041
【図４０】
2007149697.tif 000042
【図４１】
2007149697.tif 000043
【図４２】
2007149697.tif 000044
【図４３】
2007149697.tif 000045
【図４４】
2007149697.tif 000046
【図４５】
2007149697.tif 000047
【図４６】
2007149697.tif 000048
【図４７】
2007149697.tif 000049
【図４８】
2007149697.tif 000050
【図４９】
2007149697.tif 000051
【図５０】
2007149697.tif 000052
【図５１】
2007149697.tif 000053
【図５２】
2007149697.tif 000054
【図５３】
2007149697.tif 000055
【図５４】
2007149697.tif 000056
【図５５】
2007149697.tif 000057
【図５６】
2007149697.tif 000058
【図５７】
2007149697.tif 000059
【図５８】
2007149697.tif 000060
【図５９】
2007149697.tif 000061
【図６０】
2007149697.tif 000062
【図６１】
2007149697.tif 000063
【図６２】
2007149697.tif 000064
【図６３】
2007149697.tif 000065
【図６４】
2007149697.tif 000066
【図６５】
2007149697.tif 000067
【図６６】
2007149697.tif 000068
【図６７】
2007149697.tif 000069
【図６８】
2007149697.tif 000070
【図６９】
2007149697.tif 000071
【図７０】
2007149697.tif 000072
【図７１】
2007149697.tif 000073
【図７２】
2007149697.tif 000074
【図７３】
2007149697.tif 000075
【図７４】
2007149697.tif 000076
【図７５】
2007149697.tif 000077
【図７６】
2007149697.tif 000078
【図７７】
2007149697.tif 000079
【図７８】
2007149697.tif 000080
【図７９】
2007149697.tif 000081
【図８０】
2007149697.tif 000082
【図８１】
2007149697.tif 000083
【図８２】
2007149697.tif 000084
【図８３】
2007149697.tif 000085
【図８４】
2007149697.tif 000086
【図８５】
2007149697.tif 000087
【図８６】
2007149697.tif 000088
【図８７】
2007149697.tif 000089
【図８８】
2007149697.tif 000090
【図８９】
2007149697.tif 000091
【図９０】
2007149697.tif 000092
【図９１】
2007149697.tif 000093
【図９２】
2007149697.tif 000094